(57)【要約】【課題】被写体光の入射光軸と平行な方向の厚みが薄く、小型化が可能なカメラを提供する。【解決手段】この電子カメラ１には、折り曲げ光学系を内蔵するレンズ鏡筒１０と、レンズ鏡筒１０の左側と右側に配される電気基板ユニット５および電源ユニット５と、レンズ鏡筒１０の後側に配されるＬＣＤユニット９と、電源ユニット５とＬＣＤユニット９の上部に配されるストロボユニットとが内蔵され、上記電気基板ユニット５は、３枚の基板が重畳された状態で配置され、その厚み方向の占有スペースは、レンズ鏡筒１０とＬＣＤユニット９とを合わせた厚みと略同等である。したがって、カメラ内への上記各構成ユニットをデットスペースの少ない状態で収納することができ、カメラのさらなる薄型化が可能になる。【選択図】　　図１６
2004145019.tif 000002
【特許請求の範囲】
【請求項１】
略直方体形状を有するレンズ鏡筒と、
上記レンズ鏡筒の長手方向に沿った略一直線領域に配される複数の駆動源と、
上記レンズ鏡筒の側方に隣接して配され、上記レンズ鏡筒の厚さ方向に複数の電気基板が重畳配置される電気基板ユニットと、
を具備し、上記複数の駆動源は、上記レンズ鏡筒の上記電気基板ユニット側の端部に配され、上記電気基板ユニットに接続されることを特徴とするカメラ。
【請求項２】
上記電気基板ユニットは、上記レンズ鏡筒の厚さ内に少なくとも２枚の電気基板が重畳配置されたものであることを特徴とする請求項１に記載のカメラ。
【請求項３】
上記レンズ鏡筒の後部に配置される表示手段を有し、上記電気基板ユニットは、上記レンズ鏡筒と上記表示手段とを合わせた厚み部分内に全ての電気基板が配されることを特徴とする請求項１、または、２に記載のカメラ。
【請求項４】
略直方体形状を成し、該直方体形状の厚さ方向である第１の光軸に沿って入射した被写体光を上記第１の光軸に交差し、上記レンズ鏡筒の長手方向である第２の光軸に向けて反射する反射光学部材を有するレンズ鏡筒と、
上記レンズ鏡筒の幅方向の一端部であって、長手方向に沿った略直線状の領域に配置される複数の駆動源と、
上記レンズ鏡筒の幅方向の上記一端部側に隣接して上記レンズ鏡筒の厚さ方向に複数枚の電気基板が重畳配置され、上記複数の駆動源が接続される電気基板ユニットと、
を具備することを特徴とするカメラ。
【請求項５】
上記レンズ鏡筒の幅方向の他端側に隣接して配置され、上記レンズ鏡筒の厚さと略同じ厚さを有する電源ユニットと、
上記レンズ鏡筒と上記電源ユニットとの後部に配置される表示手段と、
を具備し、上記電源ユニットおよび上記表示手段は、上記電気基板ユニットに接続されることを特徴とする請求項４に記載のカメラ。
【請求項６】
上記電気基板ユニットは、上記レンズ鏡筒と上記表示手段とを合わせた厚み部分内に配置されることを特徴とする請求項５に記載のカメラ。
【請求項７】
上記レンズ鏡筒は、該レンズ鏡筒の上部にカメラ後側に斜辺を有する略三角形状を成し、上記反射光学部材を保持する保持枠と、上記保持枠が固定され、略直方体形状を成す固定枠とを有し、上記電気基板ユニットは、上記レンズ鏡筒の長手方向の全体にわたって配置されており、上記電源ユニットは、上記固定枠と略同等の長さを有しており、この電源ユニットの上部であって、上記保持枠の側方にストロボユニットが配されることを特徴とする請求項６に記載のカメラ。
【請求項８】
上記表示手段は、上記固定枠と電源ユニットとを合わせた広さと略同じ投影面積を有しており、さらに、上記表示手段と電源ユニットの上方で、かつ、上記ストロボユニットと上記保持枠の後方にストロボ用コンデンサが配置されることを特徴とする請求項７に記載のカメラ。
【請求項９】
上記電気基板ユニットは、カメラのグリップ側に配置されることを特徴とする請求項８に記載のカメラ。
【請求項１０】
上記レンズ鏡筒は、該レンズ鏡筒の上部にカメラ後側に斜辺を有する略三角柱形状を成し、上記反射光学部材を保持する保持枠と、上記保持枠が固定され、略直方体形状を成す固定枠と、上記固定枠内で上記第２の光軸方向に変位するレンズ群とを有しており、上記複数の駆動源は、上記レンズ群を駆動するためのレンズ用駆動源と、被写体からの光量を調節するための光量調節用駆動源であり、上記レンズ用駆動源は、上記固定枠に固定され、上記光量調節用駆動源は、上記保持枠に固定されることを特徴とする請求項４に記載のカメラ。
【発明の詳細な説明】
【０００１】
【発明の属する技術分野】
本発明は、カメラの構造、特に内蔵されるレンズ鏡筒と電気部材の配置に関する。
【０００２】
【従来の技術】
従来、電子カメラに関して特許文献１に開示されたものは、プリズムにより取り込まれる第１の光軸に沿った被写体光束を第１の光軸と直交する第２の光軸方向に折り曲げて、複数のレンズ群からなる光学系に上記被写体光束を入射させる、所謂、折り曲げ光学系を持つレンズ鏡筒を内蔵する電子カメラに関するものである。この電子カメラにおいては、上記レンズ鏡筒の左右両側に跨った状態で切り欠きを有する電気配線基板が配置されており、上記電気配線基板の後方で上記レンズ鏡筒の左側に電源用電池を配置し、上記レンズ鏡筒の後方で上記電気配線基板の右側にＬＣＤ表示部を配置することにより、カメラの小型化、薄型化を図っている。
【０００３】
また、特許文献２に開示されたものは、やはり折り曲げ光学系を持つレンズ鏡筒を内蔵する電子カメラに関するものである。上記電子カメラにおいては、上記レンズ鏡筒の左右両側に上記第２の光軸に対して対向する状態でズーム，フォーカス駆動用モータが配置されており、やはり、カメラの小型化、薄型化を図ったものである。
【０００４】
【特許文献１】
特許文献１は、特開２０００−１０１６５号公報である。
【０００５】
【特許文献２】
特許文献２は、特開平１１−８４２０９号公報である。
【０００６】
【発明が解決しようとする課題】
しかしながら、上記特許文献１に開示された電子カメラのようにレンズ鏡筒を略中央に配置し、その両側にわたって上記電気配線基板を配置すると、レンズ鏡筒を避けるように上記電気配線基板を切り欠かなければならず、十分な電装配置スペースの確保するためには、カメラの略全面にわたって上記電気配線基板を広げる必要があり、カメラのさらなる薄型化を実現する上で障害となっていた。
【０００７】
一方、特許文献２に開示された電子カメラは、上記レンズ鏡筒の両側に駆動源としての上記駆動モータが配置されているため、上記駆動モータとこれらの制御回路とを効率的に接続するためには、上記特許文献１の場合と同様に上記レンズ鏡筒の両側に電気配線基板を配置する必要が生じ、結果として上記特許文献１と同様の問題を有していた。
【０００８】
本発明は、上述の事情に鑑み、カメラの薄型化を図りつつ、効率的な電気的な接続を可能にするカメラを提供することを目的とする。
【０００９】
【課題を解決するための手段】
本発明の請求項１記載のカメラは、略直方体形状を有するレンズ鏡筒と、上記レンズ鏡筒の長手方向に沿った略一直線領域に配される複数の駆動源と、上記レンズ鏡筒の側方に隣接して配され、上記レンズ鏡筒の厚さ方向に複数の電気基板が重畳配置される電気基板ユニットとを具備しており、上記複数の駆動源は、上記レンズ鏡筒の上記電気基板ユニット側の端部に配され、上記電気基板ユニットに接続される。
【００１０】
本発明の請求項２記載のカメラは、請求項１記載のカメラにおいて、上記電気基板ユニットは、上記レンズ鏡筒の厚さ内に少なくとも２枚の電気基板が重畳配置されたものである。
【００１１】
本発明の請求項３記載のカメラは、請求項１、または、２記載のカメラにおいて、上記レンズ鏡筒の後部に配置される表示手段を有し、上記電気基板ユニットは、上記レンズ鏡筒と上記表示手段とを合わせた厚み部分内に全ての電気基板が配される。
【００１２】
本発明の請求項４記載のカメラは、略直方体形状を成し、該直方体形状の厚さ方向である第１の光軸に沿って入射した被写体光を上記第１の光軸に交差し、上記レンズ鏡筒の長手方向である第２の光軸に向けて反射する反射光学部材を有するレンズ鏡筒と、上記レンズ鏡筒の幅方向の一端部であって、長手方向に沿った略直線状の領域に配置される複数の駆動源と、上記レンズ鏡筒の幅方向の上記一端部側に隣接して上記レンズ鏡筒の厚さ方向に複数枚の電気基板が重畳配置され、上記複数の駆動源が接続される電気基板ユニットとを具備しており、上記でき基板ユニットに上記複数の駆動源が接続される。
【００１３】
本発明の請求項５記載のカメラは、請求項４記載のカメラにおいて、上記レンズ鏡筒の幅方向の他端側に隣接して配置され、上記レンズ鏡筒の厚さと略同じ厚さを有する電源ユニットと、上記レンズ鏡筒と上記電源ユニットとの後部に配置される表示手段とを具備しており、上記電源ユニットおよび上記表示手段は、上記電気基板ユニットに接続される。
【００１４】
本発明の請求項６記載のカメラは、請求項５記載のカメラにおいて、上記電気基板ユニットは、上記レンズ鏡筒と上記表示手段とを合わせた厚み部分内に配置される。
【００１５】
本発明の請求項７記載のカメラは、請求項６記載のカメラにおいて、上記レンズ鏡筒は、該レンズ鏡筒の上部にカメラ後側に斜辺を有する略三角形状を成し、上記反射光学部材を保持する保持枠と、上記保持枠が固定され、略直方体形状を成す固定枠とを有し、上記電気基板ユニットは、上記レンズ鏡筒の長手方向の全体にわたって配置されており、上記電源ユニットは、上記固定枠と略同等の長さを有しており、この電源ユニットの上部であって、上記保持枠の側方にストロボユニットが配される。
【００１６】
本発明の請求項８記載のカメラは、請求項７記載のカメラにおいて、上記表示手段は、上記固定枠と電源ユニットとを合わせた広さと略同じ投影面積を有しており、さらに、上記表示手段と電源ユニットの上方で、かつ、上記ストロボユニットと上記保持枠の後方にストロボ用コンデンサが配置される。
【００１７】
本発明の請求項９記載のカメラは、請求項８記載のカメラにおいて、上記電気基板ユニットは、カメラのグリップ側に配置される。
【００１８】
本発明の請求項１０記載のカメラは、請求項４記載のカメラにおいて、上記レンズ鏡筒の上部にカメラ後側に斜辺を有する略三角柱形状を成し、上記反射光学部材を保持する保持枠と、上記保持枠が固定され、略直方体形状を成す固定枠と、上記固定枠内で上記第２の光軸方向に変位するレンズ群とを有しており、上記複数の駆動源は、上記レンズ群を駆動するためのレンズ用駆動源と、被写体からの光量を調節するための光量調節用駆動源であり、上記レンズ用駆動源は、上記固定枠に固定され、上記光量調節用駆動源は、上記保持枠に固定される。
【００１９】
【発明の実施の形態】
以下、本発明の実施の形態を図に基づいて説明する。
図１は、本発明の一実施形態である電子カメラを前方から見た外観を示す斜視図であり、図２は、上記電子カメラを背面側から見たときの外観を示す斜視図である。図３は、上記電子カメラを右手でホールドした状態を背面側から見たときの外観を示す斜視図である。
【００２０】
なお、以下の説明において、図１に示すように被写体光束の入射方向である第１の光軸Ｏ１　に沿った方向をＺ方向とし、電子カメラの被写体側方向のＺ（＋）方向を前方、カメラ背面側方向のＺ（−）方向を後方とする。Ｚ方向に垂直な方向で上下方向をＹ方向とし、Ｙ（＋）方向を上方向、Ｙ（−）方向を下方向とする。Ｚ方向に垂直な方向で左右方向をＸ方向とし、カメラを被写体側からみてＸ（＋）方向を右方向、Ｘ（−）方向を左方向とする。
【００２１】
図１に示すように本実施形態の電子カメラ１は、所謂、デジタルカメラであり、外装部材としての前カバー２および後カバー３、さらに、後カバー３の背面に固着される透明板４を有し、上記前カバー２と、後カバー３内に収納される主要構成ユニットとして、後述する図５に示すようにレンズ鏡筒１０と、電気基板ユニット５と、電源ユニット６と、ストロボユニット７と、ストロボチャージ用コンデンサ８と、表示手段であるＬＣＤユニット９と、金属補強板２４等を有している。
【００２２】
上記前カバー２には、その前面部に被写体光束を取り込むための撮影窓部２ａと、ストロボ発光窓部２ｂが配置されており、また、その上面部には、操作部材としてのレリーズスイッチ操作釦２６と、パワースイッチ操作釦２７が配置されている。また、前カバー２の左側面部には、回動操作可能な操作部材としてのモードセレクトダイヤル２５と、開閉可能なカードスロット蓋２ｄとが配置され、さらに、その底面部には、電池蓋２ｃが配置され、クレードルコネクタ９３のためのコネクタ開口部（図示せず）が配置される。
【００２３】
上記後カバー３には、その背面部にＬＣＤ開口窓部３ａが設けられる。後カバー３の背面部には、透明部材である透明板４が貼付され、その透明板４を介してＬＣＤ開口窓部３ａが観察される。
【００２４】
上記透明板４には、図２に示すようにその背面部上方部にテレ，ワイド切り換えスイッチ操作用のズームレバー２８と、その下側位置にメニュースイッチ操作釦２９ａと入力確認用のＯＫスイッチ操作釦２９ｂとが配置されている。
【００２５】
図３に示すように本実施形態の電子カメラ１においては、上記前カバー２，後カバー３，透明板４の左側（図３上では、右側）をグリップ部とする。そのグリップ部を右手でホールドした状態では、親指の指先をＡ方向、または、Ｂ方向にずらしながらズームレバー２８を操作してテレ，ワイド切り換えを行ったり、メニュースイッチ操作釦２９ａとＯＫスイッチ操作釦２９ｂを操作してメニュー選択，ＯＫ操作を行うことができる。さらに、親指、または、人差し指でモードセレクトダイヤル２５を回動操作してモード選択を行うことが可能である。さらに、右手人差し指によりパワースイッチ操作釦２７、または、レリーズスイッチ操作釦２６を操作して、パワースイッチのオンオフ操作やレリーズ操作が可能である。
【００２６】
上述のように電子カメラ１の前，後カバー外装部材上の操作釦の配置によれば、上記左側（図３では右側）のカメラグリップ部の上方部周辺にスイッチ操作釦であるパワースイッチ操作釦２７，レリーズスイッチ操作釦２６，モードセレクトダイヤル２５，ズームレバー２８，メニュースイッチ操作釦２９ａ，ＯＫスイッチ操作釦２９ｂ等がまとめて配置されているのでグリップした手で各釦の操作がしすくなっている。
また、このようにカメラグリップ部の上方部周辺に操作部を配置することにより上記電子カメラ１では、後述するＬＣＤ表示板１５は、カメラ背面部の広い範囲の表示面を確保することができ、観察し易くなっている。
【００２７】
ここで、本実施形態の電子カメラ１の電気回路について、図４のブロック構成図を用いて説明する。
本実施形態の電子カメラ１においては、制御手段であるＣＰＵ１７０が内蔵されており、上記ＣＰＵ１７０により本電子カメラ１の各制御要素全体が制御される。まず、撮影光学系１１１を通過した被写体の画像は、上記ＣＰＵ１７０の制御のもとで撮像素子であるＣＣＤ５５で電気信号に変換される。ＣＣＤ５５で変換された電気信号は、撮像回路１１３でアナログ画像信号に変換された後に、Ａ／Ｄ変換回路１１４によってテジタル画像信号に変換される。そして、このデジタル画像信号は、例えば、外部メモリである着脱可能なフラッシュメモリカード，スマートメモリカード等の記録媒体としての記録メディアカード（メモリカード）１２０にインターフェース（Ｉ／Ｆ）１２１を介して記録される。なお、記録メディアカード１２０は、メディアスロット２１に着脱可能である。
【００２８】
また、電子カメラ１の電気回路には、処理速度の早い内蔵メモリ１３０や画像処理回路１４０が設けられており、該内蔵メモリ１３０は、例えば、ランダムアクセスメモリ（ＲＡＭ）等が適用され、各画像処理における作業用メモリとして、或いは、一時的な画像記憶手段の高速バッファとして利用される。また、上記画像処理回路１４０は、Ａ／Ｄ変換回路１１４によりデジタル化された画像データに基づいてＲＧＢ信号への変換、画素数の変換、データの圧縮、伸長などの処理を行う。
【００２９】
さらに、電子カメラ１には、前述した画像表示用ＬＣＤ表示板１５（液晶表示装置）が搭載されているが、このＬＣＤ表示板１５には、メモリカード１２０に記録された画像の確認や、撮影しようとする被写体画像が表示される。ＬＣＤ表示板１５に表示される画像は、内蔵メモリ１３０からの画像情報が、一旦、ビデオメモリ１５１に取り込まれた後、ヒデオ出力回路１５２にてヒデオ画像に変換されて表示される画像である。また、ヒデオ出力回路１５２は、ヒデオ出力用の外部端子１５３を介して外部表示装置にヒデオ画像を出力することも可能である。
【００３０】
上記ＣＰＵ１７０は、上記レリーズ釦２６の操作による撮影開始信号を取り込み、ＣＣＤ５５により撮像を行ったり、上記モードセレクトダイヤル２５，メニュースイッチ操作釦２９ａ，ＯＫスイッチ操作釦２９ｂの操作による操作部１７３の各種モードの設定信号を取り込み、撮影モードの設定を行う。その設定モードは、モードＬＣＤ１７２に表示される。また、ＣＰＵ１７０の制御に基づいて、被写体の撮像時における光量が不足している場合にはストロボユニット７のストロボ発光管１４をオンにし、ストロボ撮影が行われる。
【００３１】
さらに、ＣＰＵ１７０には、撮影光学系の合焦駆動およびズーム駆動を行うレンズ駆動源である第１，２ステップモータ５３，５４がドライバ１７１を介して接続されており、上記モータによるレンズ駆動が行われる。
【００３２】
また、ＣＰＵ１７０には、被写体光量調整装置であって、ＮＤフィルタユニットを駆動するためのＮＤフィルタ用ソレノイド５１およびシャッタユニットを駆動するためのシャッタ用ソレノイド５２がドライバ１７１を介して接続されており、上記ソレノイドによる光量調整駆動が行われる。
【００３３】
また、ＣＰＵ１７０には、撮影光学系の進退移動のリセット位置を検出するための検出手段であるフォトリフレクタ（以下、ＰＲと記載する）８６，８７が接続されている。上記撮影光学系１１１のリセット駆動時のリセット位置検出が行われる。
【００３４】
外部インターフェース（外部Ｉ／Ｆ）１６１は、外部入出力端子１６０に接続され、外部機器とのデータの入出力を行う。この外部入出力端子１６０には、例えば、パーソナルコンピュータ等が接続され、メモリカード１２０内の画像をパーソナルコンピュータ等に転送し、また、パーソナルコンピュータ等から画像データが取り込まれる。
【００３５】
また、本電子カメラ１の各制御要素には電源ユニット６の電池１２からの電力が電源部１８０を介して供給され、駆動される。なお、電池１２は、電源部１８０の制御により充電可能である。
【００３６】
なお、上記図４のブロック構成図に示される電気基板ユニット５内に記載される主な電装部品が後述する電気基板ユニット５の第１，第２，第３基板１８，１９，２０上に実装されるものとする。
【００３７】
本実施形態の電子カメラ１において、上記前カバー２と、後カバー３内に収納される主要構成ユニットは、図５の本実施形態の電子カメラに収納される各構成ユニットの分解斜視図に示すようにレンズ鏡筒１０と、電気基板ユニット５と、電源ユニット６と、ストロボユニット７と、ストロボチャージ用コンデンサ８と、表示手段であるＬＣＤユニット９と、金属補強板２４とであるが、以下、上記各構成ユニットについて、上記図５等を用いて説明する。
【００３８】
上記レンズ鏡筒１０は、カメラ装着状態でＸ，Ｙ平面に沿った前面部をもち、長手方向がＹ方向であって、Ｚ方向に比較的薄い厚みをもつ略直方体形状の外形を有し、このレンズ鏡筒１０の外形上の長手方向は、光軸Ｏ２　方向に沿っているものとする。
【００３９】
上記レンズ鏡筒１０の上方部に第１の光軸Ｏ１　（Ｚ方向）に沿った被写体光束を取り込むための折り曲げ光学系を形成する反射光学部材のプリズム３３が収納される保持枠として第１の保持部材３１と、第１の保持部材３１が連結固定され、撮影レンズ系が収納される枠部材としての固定枠３２とを有している。なお、レンズ鏡筒上方側の第１保持部材の後部には、三角柱形状部を形成する傾斜面３１ｃ（図６）が設けられる。
【００４０】
このレンズ鏡筒１０においては、上記プリズム３３により取り込まれた第１の光軸Ｏ１　方向の被写体光束が第２の光軸Ｏ２方向に反射され、固定枠３２に収納される撮影レンズ系（後述）を介して撮像素子であるＣＣＤ５５の結像面に結像され、被写体像の撮像信号に変換される。なお、レンズ鏡筒１０の内部構造の詳細は後で説明する。
【００４１】
上記ＣＣＤ５５は、固定枠３２の下部に配置される撮像素子用電気基板のＣＣＤ基板５６上に実装される。なお、ＣＣＤ基板５６には、撮像素子接続用フレキシブルプリント基板（以下、ＦＰＣと記載）であるＣＣＤ接続用ＦＰＣ５７が接続されている。このＣＣＤ接続用ＦＰＣ５７は、コネクタ５９を有しており、後述する第１基板１８側に接続結合される。
【００４２】
上記電気基板ユニット５は、後述する図４の電子カメラの電気回路に示される電気基板ユニット内の各電装品が実装される３枚の制御用電気基板である第１基板１８と第２基板１９と第３基板２０とを有してなる。上記第１基板１８，第２基板１９，第３基板２０は、ＦＰＣ２２，２３により連結接続され（図１９）、ＸＹ面に沿った面をＺ方向に３枚重ねた状態でカメラ内に収納される（図２０）。また、上記第１基板１８には、上記制御回路用電装品が実装される他にＣＣＤ接続用のＣＣＤ接続ＦＰＣ５７が接続され、さらに、ＬＣＤ接続用のＬＣＤ接続ＦＰＣ５８がコネクタ５９を介して接続結合される（図１９）。また、上記第３基板２０には、記録メディアスロット２１が実装されており、さらに、上記第３基板２０の下部には、接続用ＦＰＣ９１を介して接続されるクレードルコネクタ基板９２が配置される。上記コネクタ基板９２には、クレードルコネクタ９３が実装される。
【００４３】
上記電源ユニット６は、電池ケース１１と、電池ケース１１に挿入して収納されるカメラ電源用電池１２とからなり、ＸＹ面に広がる平面を有し、Ｚ方向の厚みが比較的に薄い直方体形状を有する。
【００４４】
上記ストロボユニット７は、ストロボ本体１３と、ストロボ本体１３の反射傘１３ａ内部に支持されるストロボ発光管１４とからなる（図１８）。
【００４５】
上記ＬＣＤユニット９は、Ｘ，Ｙ平面に沿った表示面を有する液晶表示板であるＬＣＤ表示板１５と、ＬＣＤ表示板１５の上側位置に配置され、Ｘ方向に延びるＬＣＤ照明用光源１６と、ＬＣＤ照明用光源１６の下部に配置され、略ＬＣＤ表示板１５の反表示面側を覆う導光板１７とを有してなる。
【００４６】
上記ＬＣＤ照明用光源１６は、蛍光放電発光管、または、ＬＥＤチップ群よりなる。
【００４７】
上記導光板１７は、Ｙ方向に肉厚が変化する部材であって、ＬＣＤ照明用光源１６側である上方が厚肉で形成され、下方が薄肉で形成される。
【００４８】
上記ＬＣＤ表示板１５は、上記ＬＣＤ照明用光源１６とともに接続用ＦＰＣ５８の接続コネクタ５９を介して第１基板１８側にコネクタ接続される。
【００４９】
上記補強板２４は、金属製部材であって電源ユニット６の電池ケース１１の前面壁部とレンズ鏡筒１０の前面壁部にビス等により固着される。この補強板２４の上方部折り曲げ部には、ストロボユニット７のストロボ本体１３が保持される。
【００５０】
次に、上記レンズ鏡筒１０の構成の詳細について、図６〜図１２（Ａ），（Ｂ）を用いて説明する。
【００５１】
図６は、上記レンズ鏡筒を背面側から見た分解斜視図である。図７は、上記レンズ鏡筒を前面側から見たワイド状態での縦断面図である。図８は、図７のＣ−Ｃ断面図であり、図９は、図７のＤ−Ｄ断面図である。図１０は、上記レンズ鏡筒の１群枠部（ＮＤフィルタユニット部）まわりの分解斜視図であり、図１１は、２群枠部（シャッタユニット部）まわりの分解斜視図である。図１２（Ａ）は、図１１のＥ−Ｅ矢視図であり、シャッタ開状態を示す。図１２（Ｂ）は、図１１のＥ−Ｅ矢視図であり、シャッタ閉状態を示す。
【００５２】
上記レンズ鏡筒１０は、図６，７等に示すように上方の一部が三角柱形状を成す第１の保持枠である１群枠３１と、直方体形状を成す枠部材である固定枠３２とを有しており、上記１群枠３１の内部には、反射光学部材のプリズム３３と、１群レンズ３４と、光量調整手段であるＮＤフィルタユニット４７と、フィルタ用駆動源（光量調節用駆動源）であるＮＤフィルタ用ロータリーソレノイド（以下、ソレノイドと記載）５１と、シャッタ用駆動源（光量調節用駆動源）であるシャッタ用ソレノイド５２等が内蔵される。
【００５３】
さらに、上記固定枠３２の内部には、光軸Ｏ２　に沿った状態で光量調整手段（シャッタ手段）であるシャッタユニット４８、その下方に進退可能な第２の保持枠である２群枠３８に保持されるズーム用レンズ群の２群レンズ３５、さらに、進退可能な第３の保持枠である３群枠３９に保持されるズーム用レンズ群の３群レンズ３６、さらに、固定枠３２の下方開口部３２ｂに保持される４群レンズ３７と、ＣＣＤ基板５６上に実装され、被写体光束の結像位置に位置する撮像素子のＣＣＤ５５が順に配置されている。また、第２の光軸Ｏ２　（すなわち、Ｙ方向）に沿った左右に両端が固定枠３２に固定保持される吊り軸４１および回転止め軸４２と、２群枠３８を進退駆動するズーム，フォーカス駆動用である第１レンズ用駆動源の第１ステップモータ５３と、３群枠３９を進退駆動するズーム，フォーカス駆動用である第２レンズ用駆動源の第２ステップモータ５４と、さらに、上記２群枠３８と３群枠３９の間に挿入される圧縮バネ４６等が内蔵される。そして、固定枠３２の部材組込用の背面側開口部３２ｇには、金属板製の固定蓋８９が装着、固定される。
【００５４】
上記第１の保持枠３１は、直方体形状外形部とその後面側の一部に収納されるプリズム３３の外形に沿った傾斜面３１ｃをもつ軸方向がＸ方向に沿った三角柱形状の外形部分とからなる外形を有し、上記プリズム３３，上記１群レンズ３４，上記ＮＤフィルタユニット４７，上記ソレノイド５１，５２等を収納し、固定枠３２の上部側にビスによりビス挿通穴３１ｆとビスネジ穴３２ｆとにより締結、結合される。
【００５５】
上記プリズム３３は、１群枠３１の前面開口部３１ａに挿入、固着される。光軸Ｏ１　に沿って入射した被写体光束は、このプリズム３３によって角度９０°折り曲げられ、第２の光軸Ｏ２　（Ｙ方向）に沿って下方開口部３１ｂに向けて反射される。
【００５６】
上記１群レンズ３４は、１群枠３１の下方開口部３１ｂの下部側に挿入、保持される。
【００５７】
上記ＮＤフィルタユニット４７は、１群枠３１の下面側に組み込まれ、被写体光量を調整するために光軸Ｏ１　と光軸Ｏ２　とを含む光軸面と略直交する方向に移動可能な光量調整部材であるＮＤフィルタ６７を有している。
【００５８】
上記ＮＤフィルタ用ソレノイド５１とシャッタ用ソレノイド５２とは、ユニット化された状態で１群枠３１内のプリズム３３の左側に第１の光軸Ｏ１　に沿って並列して配置される。それぞれの出力軸５１ａ，５２ａは、１群枠３１の下方の光軸Ｏ２　方向に突出して配置される（図１０）。上記ＮＤフィルタ用ソレノイド５１の出力軸５１ａには、ピニオン６１が固着される。一方、シャッタ用ソレノイド５２の出力軸５２ａには、駆動力伝達部材であるシャッタ駆動アーム７１が固着されている。上記シャッタ駆動アーム７１のアーム部先端には、２群レンズの進退移動位置に対応した所定の長さの中空軸部材で形成される軸部７２が固着されている。上記ソレノイドが正転，逆転駆動されて、上記出力軸５１ａ，５２ａが回動駆動されると、上記ピニオン６１、または、上記シャッタ駆動アーム７１は、それぞれ開位置と閉位置との２つの回動位置に回動駆動される。なお、ピニオン６１や軸部７２によって駆動されるＮＤフィルタユニット４７やシャッタユニット４８の構造，動作等については後述する。
【００５９】
上記２群枠３８は、中央上部に開口部３８ａと、Ｙ方向に沿って貫通する２つのガイド孔３８ｃと、ガイド孔３８ｃの反対側に回転止め切り欠き３８ｇと、リードネジ挿入用切り欠き３８ｄと、レバー回動軸孔３８ｅと、４本の段付きピン３８ｂと、Ｚ方向両端面に係止突起３８ｆ等を有している（図１１）。また、２群枠３８には、ズームレンズとなる２群レンズ３５の他に開口部３８ａ側上面に上記シャッタユニット４８が配置される。そして、上記レバー軸孔３８ｅには、セクタ駆動レバー４３が回動可能に嵌入される。この２群枠３８は、ガイド孔３８ｃと切り欠き３８ｇとにそれぞれ摺動自在に嵌入する吊り軸４１および回転止め軸４２により光軸Ｏ２　に沿って進退移動可能に支持される。
【００６０】
上記シャッタユニット４８は、光軸Ｏ１　および光軸Ｏ２　とを含む光軸面に直交する方向に開閉移動可能な２枚の遮蔽部材である第１，第２セクタ７４，７６を有しており、その構造の詳細は、後述する。
【００６１】
上記３群枠３９は、Ｙ方向に沿って貫通する２つのガイド孔３９ｂと、ガイド孔３９ｂに対向した回転止め切り欠き３９ｃと、リードネジ挿入用切り欠き３９ｄとを有しており、中央開口部にズーム，フォーカスレンズとなる３群レンズ３６が装着されている。
【００６２】
上記第１ステップモータ５３は、モータ本体と、リードネジ軸８１が固着されるロータ部５３ｃと、他の軸を支持するための軸受け部５３ａがその先端部に設けられるコイル部５３ｂとを有してなる（図９）。
【００６３】
また、第２ステップモータ５４は、モータ本体と、リードネジ軸８３が固着されるロータ部５４ｃと、他の軸を支持するための軸受け部５４ａがその先端部にもうけられるコイル部５４ｂとを有してなる（図９）。
【００６４】
上記第１，第２ステップモータ５３，５４は、図６，７に示すようにモータ取り付け板８５を介して固定枠３２の左側壁部３２ｋ内側に固定支持される。すなわち、上記第１，第２ステップモータ５３，５４は、固定枠３２の２，３群枠３８，３９の配設位置の左側であって、かつ、上記ソレノイド５１，５２の下方の光軸Ｏ２　と平行な直線領域の下，上位置に互いにリードネジ軸を対向させ、ロータ部５３ｃとコイル部５３ｂ、および、ロータ部５４ｃとコイル部５４ｂが光軸Ｏ１　と光軸Ｏ２　とを含む光軸面に沿った状態で上記モータ取り付け板８５の上下端に取り付けられる。上記ステップモータ５３，５４は、上記モータ取り付け板８５を位置決めピン３２ｐに位置決めされてビス４９により左側壁部３２ｋ内側に固定することによって固定枠３２に装着される。
【００６５】
上記ステップモータ装着支持状態では、下方にリードネジ軸８１を上方に向けて第１ステップモータ５３が位置し、上方にリードネジ軸８３を下方に向けて第２ステップモータ５４が位置しており、かつ、それらのリードネジ軸８１，８３の各先端部は、それぞれ他方のステップモータ５４，５３の軸受け部５４ａ，５３ａに回転可能に嵌入させて支持される。
【００６６】
したがって、上記ステップモータ５３，５４の取り付け状態でリードネジ軸８１，８３は、光軸Ｏ１　と光軸Ｏ２　とを含む光軸面に平行な状態で、かつ、光軸Ｏ２　に平行な状態で配置される。そして、リードネジ軸８１，８３は、光軸Ｏ方向に並列して配置される。また、上記ソレノイド５１，５２と上記ステップモータ５３，５４とは、レンズ鏡筒１０の左側方壁部の光軸Ｏ２　に平行な１つの直線領域上に配置されることになる。
【００６７】
上記リードネジ軸８１には、２群枠駆動ナット８２が螺合、嵌入され、リードネジ軸８３には、３群枠駆動ナット８４が螺合、嵌入される。上記螺合された２群枠駆動ナット８２の下面には、リードネジ軸８１を跨いで挿入される２群枠３８の切り欠き３８ｄの上面部３８ｈ（図１１）が圧縮バネ４６の付勢力で当接し、上方向に付勢される。また、上記螺合された３群枠駆動ナット８４の上面には、リードネジ軸８３を跨いで挿入される３群枠３９の切り欠き３９ｄの下面部３９ｈが圧縮バネ４６の付勢力で当接し、下方向に付勢される（図７）。このようにして各駆動ナット８２，８４の移動により、２，３群枠３８，３９が進退駆動されるとともに各駆動ナット８２，８４と各リードネジ軸８１，８３との螺合ガタが一方向に寄せられる。
【００６８】
したがって、ステップモータ５３によりリードネジ軸８１が回転されると、２群枠駆動ナット８２を介して２群枠３８が光軸Ｏ２　に沿って図７のワイド位置（リセット位置）からテレ位置の間を進退駆動される。同様にステップモータ５４によりリードネジ軸８３が回転されると、３群枠駆動ナット８４を介して３群枠３９が光軸Ｏ２　に沿って図７のワイド位置（リセット位置）からテレ位置の間を進退駆動される。なお、ステップモータ５３，５４によるレンズ群位置リセット処理動作時には、上記ステップモータ５３，５４の駆動によって、２群枠３８と３群枠３９がリセット方向に移動し、上記各リセット位置に到達すると、ＰＲ８６，８７（図４）により上記リセット位置到達が検出され、上記リセット処理が終了する。
【００６９】
上記レンズ鏡筒１０においては、レンズ群，ステップモータ等の各構成部材を組み込む場合、上記固定枠３２の背面側に設けられる開口部３２ｇを通して上記レンズ群，ステップモータ等が挿入され、組み付けが行われる。組み込み終了後、上記開口部３２ｇには金属板の固定蓋（図示せず）が装着され、ビスにより固定枠３２側に固定され、密閉状態とする。
【００７０】
なお、上記レンズ鏡筒１０の固定枠３２には、図６に示すように固定枠直方体の厚み方向と直交する面（ＸＹ平面）に沿った前側壁部に前記２，３群枠リセット位置検出用ＰＲ８６、または、ＰＲ８７が挿入可能な挿入孔３２ｈ，３２ｉが設けられる。上記挿入孔３２ｈと３２ｉの位置は、２，３群枠３８，３９が移動軌跡上のリセット位置にあるときの被検出面が対向する位置とする。
【００７１】
上記ＮＤフィルタユニット４７は、１群枠３１の下面と固定枠３２の上面間に配置され、図１０の分解斜視図に示すようにＮＤフィルタ用ソレノイド５１の出力ピニオン６１ａに噛合するアイドルギヤ６２と、アイドルギヤ６２に噛合するＮＤフィルタ駆動ギヤ６３と、１群枠３１に取り付けられ、上記ギヤを保持する地板６４と、両端にピン穴６５ａ，６５ｂが設けられるフィルタ駆動アーム６５と、中央開口部６６ａ，ピン穴６６ｂ，Ｘ方向の長孔６６ｃが設けられるＮＤフィルタ傷防止用シート６６と、ピン穴６７ｂ，Ｘ方向の長孔６７ｃが設けられるＮＤフィルタ６７と、カシメピン６８とを有してなる。
【００７２】
上記フィルタ駆動アーム６５の一端のピン孔６５ａは、フィルタ駆動ギヤ６３の駆動ピン６３ａに嵌入し、フィルタ駆動ギヤ６３に一体支持される。上記カシメピン６８は、上記ＮＤフィルタ６７のピン孔６７ｂおよび上記ＮＤフィルタ傷防止用シート６６のピン孔６６ｂに回動可能に嵌入した状態で、上記フィルタ駆動アーム６５のピン孔６５ｂにカシメ固定される。また、ＮＤフィルタ傷防止用シート６６とＮＤフィルタ６７とは、その長孔６６ｃと６７ｃが１群枠３１のガイドピン３１ｅに摺動自在に嵌入して支持される。ＮＤフィルタ６７は、光軸Ｏ２　に直交する平面に沿ってＸ方向にスライド移動可能に支持される。なお、ＮＤフィルタ６７の下面の固定枠３２の開口部３２ａ側には、中央開口部７８ａを有するＮＤフィルタ保護シート７９付きの支持シート７８が配置されている（図６）。
【００７３】
上述した構成を有するＮＤフィルタユニット４７による光量調整動作においては、ＮＤフィルタ用ソレノイド５１が図１０の下方から見て時計回りに回動駆動されると、フィルタ駆動ギヤ６３を介してフィルタ駆動アーム６５が図１０の下から見て時計回りに回動駆動される（ＮＤフィルタの進入駆動方向）。そして、ＮＤフィルタ傷防止用シート６６とＮＤフィルタ６７と一体でＸ（＋）方向（すなわち、光軸Ｏ１　，光軸Ｏ２　を含む光軸面、すなわち、ＹＺ平面に直交する方向）にスライドし、ＮＤフィルタ６７が固定枠３２の開口部３２ａより退避した位置から開口部３２ａを覆う進入位置に移動し、減少した被写体光量が２群レンズ３５側に入射する状態になる。逆に、ＮＤフィルタ用ソレノイド５１が図１０の下から見て反時計回りに回動駆動されると、ＮＤフィルタ傷防止用シート６６とＮＤフィルタ６７とは、上記移動方向とは逆の方向（Ｘ（−）方向）にスライドし、ＮＤフィルタ６７が固定枠３２の開口部３２ａから退避した退避位置に移動し、被写体光束の全入射光量が２群レンズ３５側に入射する状態になる。
【００７４】
上記シャッタユニット４８は、図１１に示すように２群枠３８の上部に装着されるユニットであり、中央開口部７３ａ，４つの支持孔７３ｂ，逃げ用円弧溝７３ｃ，対向する両折り曲げ部の係止孔７３ｄが設けられたシャッタ蓋７３と、Ｘ方向の直進ガイド長孔７４ｂ，Ｚ方向の係合孔である係合長孔７４ｃおよび遮蔽部が設けられた第１セクタ７４と、シャッタ開口径を与える開口部７５ａ，取り付け長孔７５ｂ，逃げ用円弧溝７５ｃが設けられた第１羽根シート７５と、Ｘ方向の直進ガイド長孔７６ｂ，Ｚ方向の係合孔である係合長孔７６ｃおよび遮蔽部が設けられる第２セクタ７６と、上記開口部７５ａよりも大径に形成された開口部７７ａ，取り付け長孔７７ｂ，逃げ用円弧溝７７ｃが設けられる第２羽根シート７７と、Ｙ方向に沿った回動軸部４３ａ，被駆動長孔４３ｂ，２本の係合軸であるセクタ駆動ピン４３ｃ，４３ｄが設けられるセクタ駆動部材のセクタ駆動レバー４３とを有してなる。なお、上記第１，２羽根シート７５，７７に２つずつ設けられた取り付け長穴７５ｂ，７７ｂは、それぞれ一方が段付きピン３８ｂに位置決めとして嵌合し、他方が若干のガタをもつように形成される。
【００７５】
上記セクタ駆動レバー４３は、その回動軸部４３ａを２群枠３８のシャッタレバー回動軸孔３８ｅに貫通させ、その軸部先端に抜け止め用止めリング４５を係止する。そのセクタ駆動レバー４３装着状態で２群枠３８の上方側から第２羽根シート７７，第２セクタ７６，第１羽根シート７５，第１セクタ７４の順で２群枠３８の段付きピン３８ｂに挿入させる。その際、セクタ駆動レバー４３の一方のセクタ駆動ピン４３ｃを下方から順に逃げ用円弧溝７７ｃ，７５ｃと係合長孔７４ｃに挿通させ、同時に他方のセクタ駆動ピン４３ｄを係合長孔７６ｃに挿通させる。最後にシャッタ蓋７３を上から被せて２群枠３８の係止突起部３８ｆに係止孔７３ｄを係合させてシャッタユニット４８の装着状態とする。なお、この状態で上記セクタ駆動ピン４３ｃが逃げ用円弧溝７７ａに挿通される。上記セクタ駆動レバー４３の被駆動長孔４３ｂには、後述するシャッタ駆動アーム７１の軸部７２が摺動自在に嵌入するので、シャッタ駆動アーム７１によりセクタ駆動レバー４３が回動駆動され、上記シャッタユニット４８のセクタ７４，７６がスライド駆動される。
【００７６】
上記軸部７２は、シャッタ駆動アーム７１の回動軸中心から所定距離離間した位置に光軸Ｏ２　に平行な方向に延出する状態でシャッタ駆動アーム７１に固着され、その長さは、組み付け状態で２群枠３８が光軸Ｏ２　方向に進退移動した場合でも常に軸部７２がセクタ駆動レバー４３の被駆動長孔４３ｂに常に嵌入した係合状態にあるような長さに設定されている。
【００７７】
上記シャッタ駆動アーム７１は、組み込み状態で第２ステップモータ５４の位置する光軸Ｏ２　と直交する平面上で略同一領域にあるが、第２ステップモータ５４は、軸部７２の揺動軌跡を避けた位置に配置される。同時に、上記軸部７２の揺動軌跡は、吊り軸４１の位置を避けた領域にある。
【００７８】
また、シャッタユニット４８は、２群枠３８の上面に沿って配置されており、２群枠３８と一体的に光軸Ｏ２　方向に進退移動する。したがって、上記第１，２セクタ７４，７６は、常に光軸Ｏ２　に直交する平面に沿って保持され、その平面上をスライド移動する。
【００７９】
上述した構成を有するシャッタユニット４８のシャッタ開閉動作にて、図１２（Ｂ）に示すシャッタ閉状態から図１２（Ａ）のシャッタ開状態にする場合、シャッタ用ソレノイド５２の出力軸５２ａを反時計回り（図１２（Ｂ）上）に駆動すると、シャッタ駆動アーム７１の軸部７２を介してセクタ駆動レバー４３が時計回りに回動駆動される。セクタ駆動レバー４３の時計回りの回動により図１２（Ａ）に示すようにセクタ駆動ピン４３ｃ，４３ｄにより第１セクタ７４と第２セクタ７６がそれぞれＸ（＋）、または、Ｘ（−）方向（すなわち、光軸Ｏ１　と光軸Ｏ２　を含む光軸面に直交する方向）にスライド駆動され、羽根シートの開口部７５ａを開放するシャッタ開放状態（最大開口径）となる。
【００８０】
また、図１２（Ａ）に示すシャッタ開状態からシャッタ閉状態にする場合、シャッタ用ソレノイド５２の出力軸５２ａを時計回り（図１２（Ａ）上）に駆動すると、シャッタ駆動アーム７１の軸部７２を介してセクタ駆動レバー４３が反時計回りに回動駆動される。セクタ駆動レバー４３の反時計回りの回動により図１２（Ｂ）に示すようにセクタ駆動ピン４３ｃ，４３ｄにより第１セクタ７４と第２セクタ７６がそれぞれＸ（−）方向、または、Ｘ（＋）方向（すなわち、光軸Ｏ１　と光軸Ｏ２　を含む光軸面に直交する方向）にスライド駆動され、羽根シートの開口部７５ａを閉鎖するシャッタ閉状態となる。
【００８１】
次に、上述した各構成ユニットの前，後カバー２，３内への収納状態について図１３〜図２１等を用いて説明する。
なお、図１３は、本実施形態の電子カメラを正面側から見た図であって、内部に収納される各構成ユニットの配置を破線で示す。図１４は、上記カメラ内部に収納される各構成ユニットの収納時のブロック状態を前方左側から見た図であり、図１５は、上記カメラ内部に収納される各構成ユニットの収納時のブロック状態を前方右側から見た図である。図１６は、図１３のＦ−Ｆ断面図であって、ＸＺ面上の各構成ユニットの配置状態を示す。図１７は、図１６のＧ−Ｇ断面図であって、第２の光軸Ｏ２　を通るＹＺ面上の各構成ユニットの配置状態を示す。図１８は、図１６のＨ−Ｈ断面図であって、ＹＺ面上の上記ストロボユニット，電源ユニット，ＬＣＤユニットの配置状態を示す。図１９は、上記電気基板ユニットの展開図である。図２０は、図１３のＦ−Ｆ断面の一部を示しており、レンズ鏡筒と電気基板ユニットの収納配置状態を示す。図２１は、図２０のＩ−Ｉ断面図であって、レンズ鏡筒と電気基板ユニットの第３基板とのリード線の接続状態を示す。
【００８２】
本実施形態のカメラ１においては、まず、前カバー２の内部中央にレンズ鏡筒１０を配し、レンズ鏡筒１０の右側に隣接した状態で電源ユニット６が配され、レンズ鏡筒１０の左側に隣接した状態で電気基板ユニット５が配される。さらに、ストロボユニット７が電源ユニット６の上部に固定され、ストロボチャージ用コンデンサ８がストロボユニット７の後方からレンズ鏡筒１０の上部傾斜面３１ｃの後方まで進入した状態で固着される。
【００８３】
一方、ＬＣＤユニット９は、後カバー３の内部にＬＣＤ表示板１５の表示面をＬＣＤ開口窓部３ａに対向させた状態で固定配置される。
【００８４】
レンズ鏡筒１０，電気基板ユニット５，電源ユニット６を収納した状態の上記前カバー２と、ＬＣＤユニット９が固定された上記後カバー３とを合わせ、ビスにより締結することによって一体化し、電子カメラ１として完成する。
【００８５】
上記収納状態では、レンズ鏡筒１０のプリズム３３の入射開口部３１ａが前カバー２の撮影窓２ａに対向して配置され、ストロボユニット７の発光部がストロボ発光窓２ｂの後方に位置決めされる。また、図１３，１６，１７，１８に示すようにＬＣＤユニット９のＬＣＤ表示板１５のＸＹ占有面積は、電池ユニット６とレンズ鏡筒１０の双方のＺ方向投影面積に略等しくなっている。また、電池ユニット６とレンズ鏡筒１０とＬＣＤユニット９とのＺ方向の厚みスペ−スを合わせた寸法は、電気基板ユニット５の重畳された第１，２，３基板１８，１９，２０のトータルのＺ方向厚みスペ−スに略等しくなっている。また、レンズ鏡筒１０のＺ方向の厚みスペ−ス内に第２，３基板１９，２０の複数の基板が重畳されている。なお、レンズ鏡筒１０の後部にＬＣＤユニット９を配さない場合は、電気基板ユニットをレンズ鏡筒１０のＺ方向厚みスペ−ス内に配すればよい。
【００８６】
また、図１７に示すようにレンズ鏡筒１０の下方部には、ＣＣＤ５５とＣＣＤ基板５６が僅かに後方側に突出して配置されている。一方、ＬＣＤユニット９は、導光板１７の肉厚の薄い側を下方側にした状態でレンズ鏡筒１０と対向させて配置される。また、レンズ鏡筒１０の背面側と導光板１７の上記薄肉部分との間ににできる僅かな隙間部の挿通路Ｓ１　にＣＣＤ接続用ＦＰＣ５７を挿通させる。
【００８７】
したがって、レンズ鏡筒１０とＬＣＤユニット９との間に無駄なスペースが生じることなく、また、レンズ鏡筒１０とＬＣＤユニット９の下面部を略一致させた状態で配置できる。上述のようにレンズ鏡筒１０とＬＣＤユニット９の下面部をレンズ鏡筒１０の下面部に略一致させて配置することから、略同一高さとなるＬＣＤユニット９と電源ユニット６の上部にストロボユニット９およびストロボチャージ用コンデンサ８を配置することができ、さらに、上記コンデンサ８の先端部をＬＣＤユニット９の上方、かつ、レンズ鏡筒１０の上方傾斜面３１ｃの背面部側に進入させて配置することができる。
【００８８】
また、ＬＣＤ表示板１５の表示面をレンズ鏡筒１０と電源ユニット６とを合わせたＸＹ平面に対応させた十分に広い表示面とすることが可能であり、撮影画面やメニュー画面の観察をしやすい電子カメラを提供することができる。
【００８９】
しかも、電源ユニット６と上記コンデンサ８とストロボユニット７とを上述のようにまとめて配置することができので電気的なロスを抑えることができる。
【００９０】
上記電気基板ユニット５は、前述したように第１，２，３基板１８，１９，２０がＦＰＣ２２，２３で連結接続され（図１９）、図１６，２０に示すように３枚重ね状態でレンズ鏡筒１０の左側に隣接して配置され、かつ、上記電気基板ユニット５がレンズ鏡筒１０の長手方向であるＹ方向の全体にわたって配されている。
【００９１】
したがって、電気基板ユニット５の配置スペ−スが一箇所にまとまり、他の構成ユニットの配置に影響を与えることなく収納することができ、カメラのコンパクト化に効果を奏する。
【００９２】
また、図２１に示すようにレンズ鏡筒１０の第１群枠３１の左側壁部に配置されるＮＤフィルタ用ソレノイド５１，シャッタ用ソレノイド５２の接続用リード線５１ｂ，５２ｂ、および、レンズ鏡筒１０の固定枠３２の左側壁部に配置される第１，２ステップモータ５３，５４の接続用リード線５３ｂ，５４ｂを上記第３基板２０に接続する場合、上述のように上記第３基板２０がレンズ鏡筒１０の左側に隣接していることから上記各接続用リード線が長くならず、リード線の布線作業がやりやすく、各構成ユニットの配置の邪魔にならない。また、リード線による電気的雑音発生も抑えられる。
【００９３】
さらに、上記電気基板ユニット５に対してリード線接続されるＮＤフィルタ用ソレノイド５１，シャッタ用ソレノイド５２および第１，２ステップモータ５３，５４は、すべてレンズ鏡筒１０内に固定した状態で支持されていることからリード線が固定支持される。したがって、従来の電子カメラのように接続ＦＰＣを可動状態でレンズ鏡筒内を這わせ回すなど不安定な構造を必要とせず、断線等の危惧も極めて少なくなる。
【００９４】
なお、上記電子カメラ１においては、ソレノイド５１，５２、または、ステップモータ５３，５４と電気基板ユニット５とがリード線により接続される例を示したが、これに限らずリード線に代えて接続用ＦＰＣを適用して両者を接続するように構成しても同様の効果を奏する。
【００９５】
ところで、一般にデジタルカメラなどでは、小型化のために集積度の高いＩＣを用い、また、これらを用いて高速処理が行われている。この集積度の高さと高速処理とが相まって、使用中に非常に高温となってしまう。一方、電源に用いられる電池は、充電可能な２次電池が用いられているが、たとえば、リチウムイオン電池などは、高温下にさらされると、電池性能が劣化し、充電池としての寿命が短くなってしまう。また、上述したＩＣから発せられる熱の温度は、この電池の劣化を招いてしまう。
【００９６】
これに対し、本実施形態によれば、レンズ鏡筒を挟んで電気基板ユニットと電源ユニットを配置しているため、電気基板ユニットに実装された電気部品から発生する熱が電源ユニットに伝達されることがなく、電池の劣化を防止することも可能である。
【００９７】
【発明の効果】
上述のように本発明の請求項１、または、２に記載のカメラによると、略直方体形状をしたレンズ鏡筒の側方に隣接して、電気基板を重畳配置することで、カメラの薄型化を図ることができる。また、レンズ鏡筒内に配される駆動源を電気基板ユニット側に配するので両者の接続を簡便に行うことができる。
【００９８】
本発明の請求項３に記載のカメラによると、請求項１、または、２記載のカメラの効果に加えて、さらに電気基板ユニットの全てを表示手段とレンズ鏡筒とを合わせた厚み部分に配することにより必要な電装スペースを確保しつつ、カメラ内部のスペースを有効に利用して、カメラの小型化、薄型化を可能にする。
【００９９】
本発明の請求項４に記載のカメラによると、略直方体形状をしたレンズ鏡筒の側方に隣接して、電気基板を重畳配置することで、力メラの薄型化を図ることができ、また、レンズ鏡筒内に配される駆動源を電気基板ユニット側に配するので、両者の接続を簡便に行うことができる。
【０１００】
本発明の請求項５に記載のカメラによると、請求項４記載のカメラの効果に加えて、さらにレンズ鏡筒を挟んで、その両側に電源ユニットと、電気基板ユニットとを配置することで、縦横寸法および厚みが過度に大きくなることが避けられ、小型で薄型のカメラを提供することができる。
【０１０１】
本発明の請求項６に記載のカメラによれば、請求項５記載のカメラの効果に加えて、さらに電気基板ユニットをレンズ鏡筒と表示手段とを合わせた厚み部分内に重畳配置することで、必要な電装スペースを確保しつつ、薄型のカメラを提供することができる。
【０１０２】
本発明の請求項７に記載のカメラによれば、請求項６記載のカメラの効果に加えて、さらに電気基板ユニットをレンズ鏡筒の長手方向全体にわたって配置することで電装配置スペースを確保することができる。
【０１０３】
本発明の請求項８に記載のカメラによれば、請求項７記載のカメラの効果に加えて、さらに電源ユニットとストロボユニットとストロボ用コンデンサを集中配置することで、電気的なロスを抑えることができ、さらに、反射光学部材の形状に合わせて形成される略三角形状を持つ保持枠の後方のスペースにストロボ用コンデンサを配して上記スペースを有効利用することができる。
【０１０４】
本発明の請求項９に記載のカメラによれば、請求項８記載のカメラの効果に加えて、さらに電気基板ユニットが配される側をカメラのグリップ部とすることで表示手段及びレンズ鏡筒から離れた位置にグリップ部が形成でき、ホールドし易いカメラを提供することができる。
【０１０５】
本発明の請求項１０に記載のカメラによれば、請求項４記載のカメラの効果に加えて、さらに電気基板ユニツトに接続される駆動源が固定されているため、電気基板ユニツトと駆動源との接続を簡便に行うことができる。
【図面の簡単な説明】
【図１】本発明の一実施形態である電子カメラを前方から見た外観を示す斜視図である。
【図２】上記図１の電子カメラを背面側から見たときの外観を示す斜視図である。
【図３】上記図１の電子カメラを右手でホールドした状態を背面側から見たときの外観を示す斜視図である。
【図４】上記図１の電子カメラの電気回路のブロック構成図である。
【図５】上記図１の電子カメラに収納される各構成ユニットの分解斜視図である。
【図６】上記図１の電子カメラのレンズ鏡筒を背面側から見た分解斜視図である。
【図７】上記図１の電子カメラのレンズ鏡筒を前面側から見たワイド状態での縦断面図である。
【図８】上記図７のＣ−Ｃ断面図である。
【図９】上記図７のＤ−Ｄ断面図である。
【図１０】上記図１の電子カメラにおけるレンズ鏡筒の１群枠部（ＮＤフィルタユニット部）まわりの分解斜視図である。
【図１１】図１の電子カメラにおけるレンズ鏡筒の２群枠部（シャッタユニット部）まわりの分解斜視図である。
【図１２】上記図１１のＥ−Ｅ矢視図であって、図１２（Ａ）は、シャッタ開状態を示し、図１２（Ｂ）は、シャッタ閉状態を示す。
【図１３】上記図１の電子カメラを正面側から見た図であって、内部に収納される各構成ユニットの配置を破線で示す。
【図１４】上記図１の電子カメラの内部に収納される各構成ユニットの収納時のブロック状態を前方左側から見た図である。
【図１５】上記図１の電子カメラの内部に収納される各構成ユニットの収納時のブロック状態を前方右側から見た図である。
【図１６】上記図１３のＦ−Ｆ断面図である。
【図１７】上記図１６のＧ−Ｇ断面図である。
【図１８】上記図１６のＨ−Ｈ断面図である。
【図１９】上記図１の電子カメラに内蔵される電気基板ユニットの展開図である。
【図２０】上記図１３のＦ−Ｆ断面の一部を示しており、レンズ鏡筒と電気基板ユニットの収納配置状態を示す。
【図２１】上記図２０のＩ−Ｉ断面図である。
【符号の説明】
５　…電気基板ユニット
６　…電源ユニット
７　…ストロボユニット
８　…ストロボチャージ用コンデンサ
（ストロボ用コンデンサ）
９　…ＬＣＤユニット（表示手段）
１０　…レンズ鏡筒
１８　…第１基板（電気基板）
１９　…第２基板（電気基板）
２０　…第３基板（電気基板）
３１　…第１の保持枠（保持枠）
３２　…固定枠
５１　…ＮＤフィルタ用ソレノイド
（駆動源，光量調節用駆動源）
５２　…シャッタ用ソレノイド
（駆動源，光量調節用駆動源）
５３　…第１ステップモータ
（駆動源，レンズ用駆動源）
５４　…第２ステップモータ
（駆動源，レンズ用駆動源）
Ｏ１　…第１の光軸
Ｏ２　…第２の光軸
【図１】
2004145019.tif 000003
【図２】
2004145019.tif 000004
【図３】
2004145019.tif 000005
【図４】
2004145019.tif 000006
【図５】
2004145019.tif 000007
【図６】
2004145019.tif 000008
【図７】
2004145019.tif 000009
【図８】
2004145019.tif 000010
【図９】
2004145019.tif 000011
【図１０】
2004145019.tif 000012
【図１１】
2004145019.tif 000013
【図１２】
2004145019.tif 000014
【図１３】
2004145019.tif 000015
【図１４】
2004145019.tif 000016
【図１５】
2004145019.tif 000017
【図１６】
2004145019.tif 000018
【図１７】
2004145019.tif 000019
【図１８】
2004145019.tif 000020
【図１９】
2004145019.tif 000021
【図２０】
2004145019.tif 000022
【図２１】
2004145019.tif 000023